(57)【要約】【課題】汚れたシート面部分の取り替えが簡単で吸水性が高く、シート本体が容易に位置ズレしたり剥がれたりせず、かつ嵩張らないペット用積層シートを提供する。【解決手段】単位のシート本体１は、防水シート２と、これの上面側に配された透水性のカバーシート３との間に、高吸水性ポリマーを含有する吸水体４が挟み込まれた３層構造を採る。上下複数枚の各シート本体１は、防水シート２の下面に塗布したホットメルト粘着剤５を介して１枚ずつ剥離可能に積層されている。防水シート２とカバーシート３との外周縁部は、ヒートシールして吸水体４を包み込んでいる。上下に積層した複数枚のシート本体１どうしは、全面的に圧縮しながら凹凸状にエンボス加工されている。【選択図】図３
0003113878.tif 000002
【実用新案登録請求の範囲】
【請求項１】
防水シート（２）と、これの上面側に配された透水性のカバーシート（３）との間に、吸水体（４）が挟み込まれたシート本体（１）の複数枚が、粘着剤（５）を介して剥離可能に積層されているペット用積層シート。
【請求項２】
吸水体（４）が、高吸水性ポリマーを含んでいる請求項１記載のペット用積層シート。
【請求項３】
粘着剤（５）が、ホットメルト粘着剤である請求項２記載のペット用積層シート。
【請求項４】
カバーシート（３）が不織布製であり、
粘着剤（５）は、各シート本体（１）の防水シート（２）の下面に塗布されており、
最下層のシート本体（１）の下面にも粘着剤（５）が塗布されている請求項３記載のペット用積層シート。
【請求項５】
プラスチック製の防水シート（２）と、合成樹脂繊維からなる不織布製のカバーシート（３）との外周縁部が、吸水体（４）を包み込んだ状態でヒートシールされている請求項４記載のペット用積層シート。
【請求項６】
上下に積層した複数枚のシート本体（１）どうしが、全面的に圧縮しながら凹凸状にエンボス加工されている請求項５記載のペット用積層シート。
【考案の詳細な説明】
【技術分野】
【０００１】
本考案は、犬猫などのペット用トイレや鳥、ウサギまたはリスなどの小動物用の飼育籠のほか、実験用動物の籠または檻、若しくは動物園の動物の寝床などに敷くペット用積層シートに関する。
【背景技術】
【０００２】
この種のペット用積層シートに特許文献１があり、他に単層のペット用シートとして特許文献２、３がある。特許文献１のペット用積層シートは、防水シートと、これの上面に配した透水性の吸水シートとを含む複数のシート本体を上下に積層して、各シート本体に複数の凹みを形成し、最下層に保形用の台紙が配されている。特許文献２のペット用シートは、カバーシートと防水シートとの間に高吸水性ポリマーを含有した吸水シートが挟まれており、カバーシートには複数のスリットが設けられている。特許文献３のペット用シートでは、シート本体の裏面の周縁部に粘着テープを貼り付けてある。
【０００３】
【特許文献１】特開平８−２３８１５号公報（段落番号０００９〜００１０、図２、図３）
【特許文献２】実開平５−６０２５９号公報（段落番号００１６〜００１９、図２）
【特許文献３】特開２０００−２６２１７２号公報（段落番号０００５、図１）
【考案の開示】
【考案が解決しようとする課題】
【０００４】
汚れたペット用シートをいちいち丸ごと取り替えていたのでは面倒である。そこで特許文献１では、シート本体を複数枚積層して、上側のシート本体のみを剥ぎ取ることで下側の新しいシート本体が露出するようになっているので、ペット用シートの取り替えが容易に行える。一方、ペット用シートには高い吸水性が求められる。そのため、特許文献２ではシート体に高吸水性ポリマーを配合して、吸水能の向上を図っている。特許文献３ではシート本体の裏面に粘着シールを貼り付けているので、シート本体と床面との位置ズレを防止できる。
【０００５】
しかし、特許文献１のペット用積層シートは、ペットが排泄の際に足の爪を引っ掛けたりして上側のシート本体が剥がれたり、積層されたシート本体どうしが位置ズレしたりするおそれがある。特許文献２のペット用シートはこれの取り替えが面倒であり、これを単に複数枚積層したとしても実用性に乏しい。特許文献３のペット用シートは、生産性が悪くてコストが嵩み、粘着シールがシート本体の外周縁部に貼着されているので、一枚ずつ剥ぎ取るのが困難である。
【０００６】
そこで本考案の目的は、汚れたら上側から順に剥ぐことで汚れたペットシートの取り替えが簡単。重ね合わせたシート本体どうしが位置ズレしたり剥がれたりしない。吸水性能が高い。そんなペット用積層シートを提供することにある。本考案の目的は、生産コストや輸送コストの低減化を図ったペット用積層シートを提供することにある。
【課題を解決するための手段】
【０００７】
本考案に係るペット用積層シートは、犬猫などのペット用トイレや、鳥、ウサギまたはリスなどの小動物用の飼育籠のほか、実験用動物の籠または檻、若しくは動物園の動物の寝床などにも使用でき、防水シート２と、これの上面側に配された透水性のカバーシート３との間に、吸水体４が挟み込まれたシート本体１の複数枚が、粘着剤５を介して剥離可能に積層されていることを特徴とする。本考案での「シート」とは、厚さ１００μｍ以下のフィルムも含む概念である。
【０００８】
防水シート２は、非透水性のシートであれば特に限定されず、例えばポリエチレン（ＰＥ）、ポリプロピレン（ＰＰ）、ポリエチレンテレフタレート、エチルビニルアルコール、ナイロンなどの単体またはこれらを複合したプラスチックシートを使用できる。
【０００９】
吸水体４としては、ティッシュ、スポンジ、不織布またはパルプ繊維等の集合体などを使用できるが、吸水性を高めるため高吸水性ポリマーを含ませることができる。高吸水性ポリマーは、吸水体４に分散混合させるほか、吸水体４が複層構造であればシートサンドイッチ状に配してもよい。高吸水性ポリマーとしては、ポリアクリル酸塩、ポリアクリルアミド、アクリル酸−アクリルアミド共重合体、ビニルアルコール−不飽和カルボン酸共重合体、イソブチレン−無水マレイン酸共重合体などを使用できる。
【００１０】
粘着剤５には、ホットメルト粘着剤を用いることができる。ホットメルト粘着剤としては、加熱下で軟化しかつ常温下で一定の粘着力を発揮する一方、剥離可能な粘着性を有するものであれば特に限定されず、例えばスチレンブタジエンゴム（ＳＢＲ）、スチレンイソプレンスチレン（ＳＩＳ）などのゴム系粘着剤、アクリル酸エステルなどのアクリル系粘着剤、シリコーンゴムとシリコーン樹脂の構成よりつくられたシリコーン系粘着剤のほか、エチレン−酢酸ビニル共重合体、ポリアミド、ポリエステル、ポリオレフィン等のホットメルト材料も使用できる。
【００１１】
カバーシート３は、透水性を有すれば足り、セルロースや合成樹脂繊維の単体または複合の不織布が用いて好適であるが、多孔性のプラスチックシートや、メッシュシートなども使用できる。粘着剤５との剥離性を向上するために、カバーシート３はポリオレフィン系樹脂繊維からなる不織布が最適である。
【００１２】
粘着剤５は、各シート本体１の防水シート２の下面に塗布する。このとき、各シート本体１の間のみに配すだけでも使用できるが、最下層のシート本体１の下面にも粘着剤５を塗布しておくことが好ましい。
【００１３】
防水シート２とカバーシート３とは、これの外周縁部の全部または一部を接着することができる。プラスチック製の防水シート２と、合成樹脂繊維からなる不織布製のカバーシート３とは、ヒートシールすることが好ましいが、カバーシート３がセルロース系であれば接着剤により接着してもよい。
【００１４】
上下に積層した複数枚のシート本体１どうしは、全面的に圧縮しながら凹凸状にエンボス加工するとよい。エンボス加工により形成される凹みの大きさや形状は必要に応じて適宜選択ることができる。
【考案の効果】
【００１５】
請求項１記載の本考案に係るペット用積層シートによれば、複数枚のシート本体１が上下に積層されているので、上側のシート本体１が汚れる度に一枚ずつ剥ぎ取ればよく、ペット用トイレや飼育籠などの清掃が簡単に行える。各シート本体１どうしは粘着剤５を介して積層されているので、シート本体１が不用意に剥がれたり位置ズレしたりすることがない。
【００１６】
請求項２記載の本考案に係るペット用積層シートによれば、吸水体４に高吸水性ポリマーが含まれているので、高い吸水性を実現できる。
【００１７】
請求項３記載の本考案に係るペット用積層シートによれば、粘着剤５にホットメルト粘着剤を使用しているので、エマルジョン型粘着剤や溶剤型粘着剤と比べて速乾性に優れ、乾燥工程やその設備が不要となり生産コストを低減できる。
【００１８】
請求項４記載の本考案に係るペット用積層シートによれば、粘着剤５は防水シート２側に塗布してあること、およびカバーシート３が不織布製であって表面が毛羽立っていること、これらが相まって先のシート本体１を剥ぎ取った際に、粘着剤５が下側のシート本体１の不織布製カバーシート３の表面に転移付着して残ることはない。したがって、上側のシート本体１を剥ぎ取ると、ペット用積層シートの表面には新たに下側の綺麗なシート本体１が現れ、常に一定の機能を保つことができる。また、最下層のシート本体１の下面にも粘着剤５が塗布されているので、ペット用積層シートを当該粘着剤５を介して床面などに位置ずれなく敷設できる。
【００１９】
請求項５記載の本考案に係るペット用積層シートによれば、防水シート２とカバーシート３との外周縁部がヒートシールされて、防水シート２とカバーシート３との間に吸水体４が包み込まれるので、吸水体４として粉体などの非シート状のものでも使用できる。また、シート本体１の外周縁部からの尿などの横漏れも良好に防止できる。
【００２０】
請求項６記載の本考案に係るペット用積層シートによれば、上下に積層したシート本体１どうしが全面的に圧縮されているので、全体の嵩が小さくなり、コンパクト包装、輸送コストの低減、取り扱い性の向上、ペット用トイレが嵩張らないなどの効果が得られる。圧縮状態にエンボス加工することにより、粘着剤５とこれの下面のカバーシート２との密着性が増すため、粘着剤５が塗布されていない部分があっても各シート本体１どうしを確りと接合できる。
【００２１】
同時に、エンボス加工によりシート本体１の外表面に複数の凹みが生じるので、この凹みに例えば餌の残りや各種の粉塵なども捕捉でき、これを糞尿と共に除去するに有利である。この凹みを大きくすればペットの糞を捕捉することもでき、糞がシート本体１の表面上を転がることも防げる。
【考案を実施するための最良の形態】
【００２２】
図面は本考案に係るペット用積層シートの実施例を示す。図２において、これの各シート本体１は、非透水性の防水シート２と、防水シート２の上面側に配された透水性のカバーシート３と、防水シート２とカバーシート３との間に挟み込まれた吸水体４とからなる。図示例では３枚の各シート本体１が、それぞれの防水シート２の下面に塗布した粘着剤５を介して上下に剥離可能に積層されている。
【００２３】
防水シート２にはＰＰ、ＰＥなどのプラスチックシートを使用し、カバーシート３にはＰＰ、ＰＥなどの合成樹脂繊維からなる不織布を使用した。吸水体４は、パルプと高吸水性ポリマーと熱溶融繊維とを混合し、これらを熱加工して防水シート２およびカバーシート３よりも分厚いシート状に形成した。粘着剤５にはアクリル系のホットメルト粘着剤を使用した。
【００２４】
本案ペット用積層シートの製造に際しては、四角形状に裁断された防水シート２の上に、これよりもひとまわり小さな吸水体４、ついで防水シート２と同一寸法のカバーシート３を順に積層し、防水シート２とカバーシート３との外周縁部をヒートシールして、単位のシート本体１をつくる。図１および図３において斜線部分がヒートシール部分を示す。これで各シート本体１には、防水シート２とカバーシート３との間に吸水体４を密封状に挟み込む。
【００２５】
次いで、予め防水シート２の裏面側には、吸水体４の存在部位において点状ないし線状または全面的に粘着剤５を塗布する。塗布方法としては、ホットメルト粘着剤を加熱溶融し、防水シート２にノズルを介して間欠的に塗工すればよい。または、グラビアロールなどでロールコートしてもよい。図示例では、防水シート２の裏面８箇所に粘着剤５を点状に塗布したが、さらにコスト削減を図るには少なくとも４隅部に塗布しておけば足りる。
【００２６】
このようにして得られた単位のシート本体１は、これらを上下３枚重ねに積層する。このとき、最下層の粘着剤５の表面には剥離紙９を接合しておく。最後にこのシート本体１群、すなわち積層体１ａの全体を加熱加圧下で圧縮しながら凹凸状にエンボス加工する。これにて、上下に隣接する各シート本体１・１どうしは粘着剤５を介して個々に剥離可能に接合する。図１および図３において、符号８はエンボス加工によって形成された凹みを示す。本実施例では、シート本体１の吸水体４の存在部位において多数の凹み８が点在するようにした。
【００２７】
本案ペット用積層シートの大きさや形状は、対象のペットによって適宜選択できる。例えば鳥、ウサギ、リスなどの小動物の飼育籠用とするなら、飼育籠の大きさ、形状に合わせばよく、犬や猫などの室内用であれば、それらのトイレ場所に応じた大きさとすればよい。具体的には、犬猫用として４５×３４cm、６０×４３cm、９０×６０cmの３種類の大きさのペット用積層シートをつくった。
【００２８】
本案ペット用積層シートは、剥離紙９を貼り付けたまま包装容器に折り畳み収納して流通の場に供すればよい。このとき、粘着剤５は剥離可能なので剥離紙９は必ずしも必要ではない。シート本体１の積層体１ａは圧縮下でエンボス加工されて嵩が低くなっているのでコンパクトに包装することができた。
【００２９】
本案ペット用積層シートは、飼育籠の底面やペット用トイレ場所の床面に貼り付けて使用する。剥離紙９を接合している場合は、使用に際してこれを剥がしておく。ペットの糞尿は最上段のシート本体１の上面で受けられ、尿などの水分はカバーシート３を通して吸水シート４に吸収される。このとき、水分は防水シート２により下側のシート本体１に染み込むことはない。
【００３０】
上側のシート本体１が汚れたら、図３のように該当のシート本体１のみを剥ぎ取って捨てればよい。このとき、シート本体１の外周縁部には粘着剤５が塗布されておらず、シート本体１どうしは貼り付いていない。すなわち、シート本体１の外周縁部は剥がし代となっており、この部分を手で掴めば、上側のシート本体１のみを容易に剥ぎ取ることができる。粘着剤５は防水シート２側に塗布してあること、カバーシート３が不織布製であって表面が毛羽立っていること、これらが相まって先のシート本体１を剥ぎ取った際に、粘着剤５が下側のシート本体１のカバーシート３に残ることはない。したがって、ペット用積層シートの表面には、新たに下側の綺麗なシート本体１が現れ、これを繰り返すことができる。
【００３１】
なお、本案ペット用積層シートは、図示例の３枚重ねに限られず、２枚以上を積層してあればよい。
【図面の簡単な説明】
【００３２】
【図１】全体の平面図
【図２】図１のＡ−Ａ線断面図
【図３】使用状態を説明する斜視図
【符号の説明】
【００３３】
１  シート本体
２  防水シート
３  カバーシート
４  吸水体
５  粘着剤
９  剥離紙
【図１】
0003113878.tif 000003
【図２】
0003113878.tif 000004
【図３】
0003113878.tif 000005